(57)【特許請求の範囲】
【請求項１】
身体の対象部位の動作が反映された信号を出力する検出部と、
前記検出部の信号に基づいて前記対象部位に電気刺激を与える電極部と、
電源の電力を供給するハーネスと接続可能であり、前記電極部と電気的に接続されるコネクタと、
前記検出部および前記コネクタを収容するケースとを備え、
前記検出部および前記電極部は一体的に構成される
電気刺激装置。
【請求項２】
身体の対象部位の動作が反映された信号を出力する検出部と、
前記検出部の信号に基づいて前記対象部位に電気刺激を与える電極部とを備え、
前記検出部および前記電極部は一体的に構成され、互いに分離可能である
電気刺激装置。
【請求項３】
身体の対象部位の動作が反映された信号を出力する検出部と、
前記検出部の信号に基づいて前記対象部位に電気刺激を与える電極部とを備え、
前記検出部および前記電極部は一体的に構成され、
前記電極部は、前記対象部位に電気刺激を与える導子対と、前記導子対が取り付けられる第１の面および前記検出部が取り付けられる第２の面を備えるシートとを備え、
前記シートは前記導子対の配列に対応した形状を有する導子配置部を備え、
前記電極部は、導電性を有し、前記導子配置部との間に前記導子対を挟み込む導電ゲルをさらに備え、
前記導電ゲルは前記導子配置部と相似形を有し、中心が一致するように前記導子配置部に取り付けられ、前記導子配置部の面積と実質的に同じ面積または前記導子配置部の面積よりも広い面積を有する
電気刺激装置。
【請求項４】
身体の対象部位の動作が反映された信号を出力する検出部と、
前記検出部の信号に基づいて前記対象部位に電気刺激を与える電極部とを備え、
前記検出部および前記電極部は一体的に構成され、
前記電極部は、前記対象部位に電気刺激を与える導子対と、前記導子対が取り付けられる第１の面および前記検出部が取り付けられる第２の面を備えるシートとを備え、
前記電極部は複数の前記導子対を備え、
前記複数の導子対は第１の導子対および第２の導子対を含み、
前記シートは、前記第１の導子対の配列に対応した形状を有する第１の導子配置部と、前記第２の導子対の配列に対応した形状を有する第２の導子配置部と、前記第１の導子配置部と前記第２の導子配置部とを繋げる接続部とを備え、
前記第１の導子配置部は前記第１の導子対を支持し、
前記第２の導子配置部は前記第２の導子対を支持し、
前記第１の導子対および前記第２の導子対は、前記第１の導子対を構成する一対の導子の配列方向と前記第２の導子対を構成する一対の導子の配列方向とが平行するように配置され、
前記一対の導子の配列方向における前記接続部の寸法は前記第１の導子配置部および前記第２の導子配置部の寸法よりも短い
電気刺激装置。
【請求項５】
身体の対象部位の動作が反映された信号を出力する検出部と、
前記検出部の信号に基づいて前記対象部位に電気刺激を与える第１の電極部および第２の電極部と、
前記対象部位に装着可能であり、前記検出部、前記第１の電極部、および、前記第２の電極部が取り付けられるサポーターとを備え、
前記検出部および前記第１の電極部は一体的に構成され、
前記第１の電極部および前記第２の電極部の少なくとも一方は前記対象部位の周方向における前記サポーターに対する位置を調節可能であり、
前記サポーターは、前記対象部位の太さに関する情報を教示する第１の目印と、前記サポーター上における前記第１の電極部および前記第２の電極部の少なくとも一方の取り付け位置であり、前記サポーター上における前記第１の目印と対応する位置を教示する第２の目印とを備える
電気刺激装置。
【請求項６】
身体の対象部位の動作が反映された信号を出力する検出部と、
前記検出部の信号に基づいて前記対象部位に電気刺激を与える第１の電極部および第２の電極部と、
前記対象部位に装着可能であり、前記検出部、前記第１の電極部、および、前記第２の電極部が取り付けられるサポーターと、
電源の電力を前記第１の電極部および前記第２の電極部の一方に供給する第１のハーネスと、
前記第１の電極部および前記第２の電極部の一方から他方に電力を供給する第２のハーネスとを備え、
前記検出部および前記第１の電極部は一体的に構成され、
前記第１の電極部および前記第２の電極部の少なくとも一方は前記対象部位の周方向における前記サポーターに対する位置を調節可能である
電気刺激装置。
【請求項７】
身体の対象部位の動作が反映された信号を出力する検出部と、
前記検出部の信号に基づいて前記対象部位に電気刺激を与える第１の電極部および第２の電極部と、
前記対象部位に装着可能であり、前記検出部、前記第１の電極部、および、前記第２の電極部が取り付けられるサポーターとを備え、
前記検出部および前記第１の電極部は一体的に構成され、
前記第１の電極部は、前記対象部位に電気刺激を与える導子対と、前記導子対が取り付けられる第１の面および前記検出部が取り付けられる第２の面を備えるシートとを備え、
前記第１の電極部および前記第２の電極部の少なくとも一方は、前記対象部位の周方向における前記サポーターに対する位置を調節可能であり、
前記第１の電極部は前記サポーターが前記対象部位である大腿に装着された場合に大腿四頭筋と対向する前記サポーター上の位置に配置され、
前記第１の電極部を構成する前記導子対はその配列方向が前記対象部位の周方向に沿うように前記シートに取り付けられる
電気刺激装置。
【請求項８】
身体の対象部位の動作が反映された信号を出力する検出部と、
前記検出部の信号に基づいて前記対象部位に電気刺激を与える第１の電極部および第２の電極部と、
前記対象部位に装着可能であり、前記検出部、前記第１の電極部、および、前記第２の電極部が取り付けられるサポーターとを備え、
前記検出部および前記第１の電極部は一体的に構成され、
前記第２の電極部は、前記対象部位に電気刺激を与える導子対と、前記導子対が取り付けられる第１の面および前記検出部が取り付けられる第２の面を備えるシートとを備え、
前記第１の電極部および前記第２の電極部の少なくとも一方は、前記対象部位の周方向における前記サポーターに対する位置を調節可能であり、
前記第２の電極部は前記サポーターが前記対象部位である大腿に装着された場合にハムストリングと対向する前記サポーター上の位置に配置され、
前記第２の電極部を構成する前記導子対はその配列方向が前記対象部位の長手方向に沿うように前記シートに取り付けられる
電気刺激装置。
【請求項９】
身体の対象部位の動作が反映された信号を出力する検出部と、
前記検出部の信号に基づいて前記対象部位に電気刺激を与える電極部と、
右半身および左半身の一方の前記対象部位に装着可能であり、前記検出部および前記電極部が取り付けられる第１のサポーターと、
右半身および左半身の他方の前記対象部位に装着可能であり、前記検出部および前記電極部が取り付けられる第２のサポーターと、
前記第１のサポーターに取り付けられる前記電極部、および、前記第２のサポーターに取り付けられる前記電極部に電源の電力を供給するハーネスとを備え、
前記検出部および前記電極部は一体的に構成され、
前記第１のサポーターおよびこれに取り付けられる前記電極部の少なくとも１つ、ならびに、前記第２のサポーターおよびこれに取り付けられる前記電極部の少なくとも１つは、対応する右半身または左半身を教示する対応目印を備え、
前記ハーネスは、前記第１のサポーターに取り付けられる前記電極部と接続される第１の線と、前記第２のサポーターに取り付けられる前記電極部と接続される第２の線と、前記第１の線および前記第２の線に繋がる共通線とを備え、
前記第１の線および前記第２の線の少なくとも一方は伸縮可能である
電気刺激装置。
【発明の詳細な説明】
【技術分野】
【０００１】
本発明は電気刺激装置に関する。
【背景技術】
【０００２】
大腿に電気刺激を与える電気刺激装置が知られている。その一例である特許文献１の電気刺激装置によれば、大腿の動作が反映された信号を出力する検出部の検出結果に基づいて、大腿に電気刺激を与える電極部の出力状態が制御される。
【先行技術文献】
【特許文献】
【０００３】
【特許文献１】特開２０１２−１１１０２号公報
【発明の概要】
【発明が解決しようとする課題】
【０００４】
ユーザーは電気刺激装置を身体に装着して使用する。このため、電気刺激装置の構造が簡素であることが望まれる。
本発明の目的は、部品点数を削減することに貢献する電気刺激装置を提供することである。
【課題を解決するための手段】
【０００５】
本発明に従う電気刺激装置の一形態は、身体の対象部位の動作が反映された信号を出力する検出部と、前記検出部の信号に基づいて前記対象部位に電気刺激を与える電極部とを備え、前記検出部および前記電極部が一体的に構成される。
【発明の効果】
【０００６】
上記電気刺激装置は部品点数を削減することに貢献できる。
【図面の簡単な説明】
【０００７】
【図１】は実施の形態の電気刺激装置の正面図である。
【図２】は図１のサポーターの内面を示す展開図である。
【図３】は図１のサポーターの外面を示す展開図である。
【図４】は図２の収容部の拡大図である。
【図５】は図２の第１の電極部の背面図である。
【図６】は図５のケースの内部の平面図である。
【図７】は図１のハーネスの接続関係を示す平面図である。
【図８】は保護シートが分離されたサポーターの平面図である。
【図９】は図１のコントローラーを保持する保持ケースの斜視図である。
【図１０】は図９の保持ケースの側面図である。
【図１１】は図９の保持ケースの第１の装着状態の一例を示す側面図である。
【図１２】は図９の保持ケースの第２の装着状態の一例を示す側面図である。
【図１３】は図２のサポーターが装着された大腿の平面図である。
【図１４】は第１の目印の拡大図である。
【図１５】は第２の目印とその周辺の拡大図である。
【図１６】は第１の目印の拡大図である。
【図１７】は第２の目印とその周辺の拡大図である。
【図１８】はサポーターが装着されたユーザーの斜視図である。
【図１９】は変形例の収容部の拡大図である。
【発明を実施するための形態】
【０００８】
（電気刺激装置が取り得る形態の一例）
〔１〕本発明に従う電気刺激装置の一形態は、身体の対象部位の動作が反映された信号を出力する検出部と、前記検出部の信号に基づいて前記対象部位に電気刺激を与える電極部とを備え、前記検出部および前記電極部が一体的に構成される。
【０００９】
検出部および電極部は互いに電力が供給されることにより機能する。このため、例えば電源の電力を供給するハーネスが検出部および電極部に接続される。一方、検出部と電極部とが離れた位置に設けられる場合、例えば検出部に電力を供給するハーネス、および、電極部に電力を供給するハーネスが必要になる。
【００１０】
上記電気刺激装置によれば、検出部および電極部が一体的に構成されるため、検出部および電極部に電力を供給するハーネスが１本に纏められる。このため、検出部と電極部とが離れた位置に設けられる場合と比較して、部品点数を削減することに貢献できる。
【００１１】
〔２〕前記電気刺激装置の一例によれば、電源の電力を供給するハーネスと接続可能であり、前記電極部と電気的に接続されるコネクタと、前記検出部および前記コネクタを収容するケースとをさらに備える。
【００１２】
上記電気刺激装置によれば、検出部およびコネクタが１つのケースにより収容される。このため、コネクタを収容するケースと検出部を収容するケースとが個別に設けられる場合と比較して、部品点数が一層削減される。
【００１３】
〔３〕前記電気刺激装置の一例によれば、前記ケースは長手方向および短手方向を規定可能な細長い形状を有し、前記長手方向が前記対象部位の長手方向に沿うように配置される。
【００１４】
ケースの長手方向が対象部位の周方向に沿うようにケースが配置される場合、電気刺激装置を使用して運動するユーザーによっては対象部位とケースとのフィット感に違和感を覚え、運動を妨げる要因となるおそれがある。一方、上記電気刺激装置によれば、ケースの長手方向が対象部位の長手方向に沿うようにケースが配置されるため、対象部位とケースとのフィット感に違和感を覚えにくい。このため、ユーザーが実施する運動が妨げられるおそれが低減される。
【００１５】
〔４〕前記電気刺激装置の一例によれば、前記検出部および前記電極部は互いに分離可能である。
電極部は例えば埃等が付着した場合に対象部位に与えられる電気刺激が低下するため、定期的にメンテナンスすることが好ましい。上記電気刺激装置によれば、電極部と検出部とが分離可能であるため、電極部をメンテナンスしやすい。
【００１６】
〔５〕前記電気刺激装置の一例によれば、前記電極部は、前記対象部位に電気刺激を与える導子対と、前記導子対が取り付けられる第１の面および前記検出部が取り付けられる第２の面を備えるシートとを備える。
【００１７】
導子対が取り付けられるシートの第１の面に検出部が取り付けられる場合、対象部位と導子対とのフィット感が検出部により妨げられるおそれがある。一方、上記電気刺激装置によれば、上記〔５〕のとおり検出部が取り付けられるため、対象部位と導子対とのフィット感が検出部により妨げられるおそれが低減される。
【００１８】
〔６〕前記電気刺激装置の一例によれば、前記シートは前記導子対の配列に対応した形状を有する導子配置部を備え、前記電極部は、導電性を有し、前記導子配置部との間に前記導子対を挟み込む導電ゲルをさらに備え、前記導電ゲルは前記導子配置部と相似形を有し、中心が一致するように前記導子配置部に取り付けられ、前記導子配置部の面積と実質的に同じ面積または前記導子配置部の面積よりも広い面積を有する。
【００１９】
導子配置部の縁が対象部位と直接接触した場合、ユーザーが不快感を覚えるおそれがある。一方、上記電気刺激装置によれば、導電ゲルの面積が導子配置部の面積と実質的に同じまたは導子配置部の面積よりも広いため、導子配置部の縁が対象部位と接触することが導電ゲルにより妨げられやすい。このため、ユーザーが不快感を覚えにくい。
【００２０】
〔７〕前記電気刺激装置の一例によれば、前記電極部は複数の前記導子対を備え、前記複数の導子対は第１の導子対および第２の導子対を含み、前記シートは、前記第１の導子対の配列に対応した形状を有する第１の導子配置部と、前記第２の導子対の配列に対応した形状を有する第２の導子配置部と、前記第１の導子配置部と前記第２の導子配置部とを繋げる接続部とを備え、前記第１の導子配置部は前記第１の導子対を支持し、前記第２の導子配置部は前記第２の導子対を支持し、前記第１の導子対および前記第２の導子対は、前記第１の導子対を構成する一対の導子の配列方向と前記第２の導子対を構成する一対の導子の配列方向とが平行するように配置され、前記一対の導子の配列方向における前記接続部の寸法は前記第１の導子配置部および前記第２の導子配置部の寸法よりも短い。
【００２１】
上記電気刺激装置によれば、上記〔７〕のとおりシートの接続部の寸法が設定されているため、一対の導子の配列方向におけるシートの寸法が均一である場合と比較して、対象部位に対する電極部の密着性が高められる。
【００２２】
また、上記電気刺激装置によれば、トレーニング効果を高める観点から第１の導子配置部と第２の導子配置部との間に間隔が空けられている。すなわち、トレーニング効果を高めるためにシートの接続部が設けられている。このため、例えばシートの接続部の背面に検出部が配置される場合、効率的にスペースを活用できる。
【００２３】
〔８〕前記電気刺激装置の一例によれば、前記シートは柔軟性を有する。
上記電気刺激装置によれば、電極部が対象部位にフィットしやすい。このため、対象部位に対する電極部の密着性が一層高められる。
【００２４】
〔９〕前記電気刺激装置の一例によれば、前記対象部位に装着可能であり、前記検出部および前記電極部が取り付けられるサポーターをさらに備える。
上記電気刺激装置によれば、サポーターが対象部位に装着されることにより検出部および電極部が対象部位に固定されるため、検出部および電極部が対象部位から外れにくい。
【００２５】
〔１０〕前記電気刺激装置の一例によれば、複数の前記電極部を備え、前記複数の電極部は第１の電極部および第２の電極部を含み、前記第１の電極部および前記第２の電極部の少なくとも一方は、前記対象部位の周方向における前記サポーターに対する位置を調節可能である。
【００２６】
電気刺激装置を使用するユーザー毎によって対象部位の太さが異なる。このため、サポーターが対象部位に装着されたとき、第１の電極部および第２の電極部の少なくとも一方が対象部位の適切な位置に取り付けられないことがある。一方、上記電気刺激装置によれば、第１の電極部および第２の電極部の少なくとも一方の位置がユーザー毎に調節できるため、対象部位の適切な位置に各電極部が取り付けられやすい。
【００２７】
〔１１〕前記電気刺激装置の一例によれば、前記サポーターは、前記対象部位の太さに関する情報を教示する第１の目印と、前記サポーター上における前記第１の電極部および前記第２の電極部の少なくとも一方の取り付け位置であり、前記サポーター上における前記第１の目印と対応する位置を教示する第２の目印とを備える。
【００２８】
上記電気刺激装置を使用するユーザーは、例えば以下の手順によりサポーターに対する各電極部の位置を決定する。まず、サポーターを対象部位に装着し、第１の目印により示される情報を確認する。次に、サポーターを対象部位から取り外し、第２の目印を参照しながらサポーター上における第１の目印と対応する位置に各電極部を取り付ける。以上の手順により、各電極部が対象部位の適切な位置に取り付けられる。このため、ユーザーが自身の感覚に基づいて各電極部の位置を決定する場合と比較して、各電極部が対象部位の適切な位置に容易に取り付けられる。
【００２９】
〔１２〕前記電気刺激装置の一例によれば、電源の電力を前記第１の電極部および前記第２の電極部の一方に供給する第１のハーネスと、前記第１の電極部および前記第２の電極部の一方から他方に電力を供給する第２のハーネスとをさらに備える。
【００３０】
第１の電極部に電力を供給するハーネス、および、第２の電極部に電力を供給するハーネスを備える場合、２本の長いハーネスが必要になる。一方、上記電気刺激装置によれば、第１のハーネスを介して第１の電極部および第２の電極部の一方に電源の電力が供給され、第２のハーネスを介して第１の電極部および第２の電極部の他方に電力が供給される。この第１のハーネスは上記２本の長いハーネスと実質的に同じ長さを有するのに対し、第２のハーネスは第１のハーネスよりも短い。このため、２本の長いハーネスを備える場合と比較して、電気刺激装置の構造が簡素化される。
【００３１】
〔１３〕前記電気刺激装置の一例によれば、前記サポーターは前記第１のハーネスおよび前記第２のハーネスの少なくとも一方を収容する収容部を備える。
サポーターが対象部位に装着されたとき、例えば第１のハーネスの一部および第２のハーネスの全部がサポーターと対象部位との間に存在する。このため、各ハーネスが対象部位と直接接触することにより、ユーザーが不快感を覚えるおそれがある。一方、上記電気刺激装置によれば、第１のハーネスおよび第２のハーネスの少なくとも一方が収容部に収容されるため、収容部に収容されたハーネスが対象部位と直接接触しない。このため、ユーザーが不快感を覚えるおそれが低減される。
【００３２】
〔１４〕前記電気刺激装置の一例によれば、前記第１の電極部は前記サポーターが前記対象部位である大腿に装着された場合に大腿四頭筋と対向する前記サポーター上の位置に配置され、前記第１の電極部を構成する前記導子対はその配列方向が前記対象部位の周方向に沿うように前記シートに取り付けられる。
【００３３】
本願発明者は大腿四頭筋のトレーニング効果を向上させるために電気刺激を与える部位ついて検討した。その結果、大腿直筋、外側広筋、および、内側広筋に跨るように電気刺激を与えることができれば、大腿四頭筋のトレーニング効果が向上することを確認した。上記電気刺激装置はこの検討の結果を踏まえ、対象部位の周方向に沿うように第１の電極部を構成する導子対の配列方向を設定した。これにより、大腿直筋、外側広筋、および、内側広筋に跨るように電気刺激が与えられるため、大腿四頭筋のトレーニング効果が高められる。
【００３４】
〔１５〕前記電気刺激装置の一例によれば、前記第２の電極部は前記サポーターが前記対象部位である大腿に装着された場合にハムストリングと対向する前記サポーター上の位置に配置され、前記第２の電極部を構成する前記導子対はその配列方向が前記対象部位の長手方向に沿うように前記シートに取り付けられる。
【００３５】
本願発明者はハムストリングのトレーニング効果を向上させるために電気刺激を与える部位について検討した。その結果、２本のハムストリングに沿うように電気刺激を与えることができれば、ハムストリングのトレーニング効果が向上することを確認した。上記電気刺激装置はこの検討の結果を踏まえ、対象部位の長手方向に沿うように第２の電極部を構成する導子対の配列方向を設定した。これにより、２本のハムストリングに沿うように電気刺激が与えられるため、ハムストリングのトレーニング効果が高められる。
【００３６】
〔１６〕前記電気刺激装置の一例によれば、前記サポーターは、前記対象部位である大腿の中心に合わせるための中心目印と、前記サポーターが前記大腿に装着された場合に前記中心目印と対向するくびれた部分とを備える。
【００３７】
サポーターを大腿に装着するとき、または、サポーターを大腿に装着した後において、膝関節を屈曲させるとき等にサポーターと膝の裏とが接触することにより、ユーザーが不快感を覚えるおそれがある。一方、上記電気刺激装置によれば、上記〔１６〕のとおりサポーターがくびれた部分を備えるため、サポーターと膝の裏とが接触しにくくなり、ユーザーが不快感を覚えるおそれが低減される。
【００３８】
〔１７〕前記電気刺激装置の一例によれば、複数の前記サポーターを備え、前記複数のサポーターは身体の右半身および左半身の一方に装着される第１のサポーターおよび身体の右半身および左半身の他方に装着される第２のサポーターを備え、前記第１のサポーターおよび前記第２のサポーターはそれぞれ前記電極部を備え、前記第１のサポーターおよびこれに取り付けられる前記電極部の少なくとも１つ、ならびに、前記第２のサポーターおよびこれに取り付けられる前記電極部の少なくとも１つは、対応する右半身または左半身を教示する対応目印を備える。
【００３９】
上記電気刺激装置を使用するユーザーは、例えば対応目印を確認してから右半身の対象部位に対応するサポーターを装着するとともに、左半身の対象部位に対応するサポーターを装着する。このため、右半身および左半身の対象部位にそれぞれ反対のサポーターが装着されるおそれが低減される。
【００４０】
〔１８〕前記電気刺激装置の一例によれば、前記第１のサポーター、および、前記第１のサポーターに取り付けられる前記電極部は互いに分離可能であり、それぞれ前記対応目印を備え、前記第２のサポーター、および、前記第２のサポーターに取り付けられる前記電極部は互いに分離可能であり、それぞれ前記対応目印を備える。
【００４１】
上記電気刺激装置を使用するユーザーは、例えば対応目印を確認してから第１のサポーターに対応する電極部を取り付けるとともに、第２のサポーターに対応する電極部を取り付ける。このため、第１のサポーターおよび第２のサポーターにそれぞれ反対の電極部が取り付けられるおそれが低減される。
【００４２】
〔１９〕前記電気刺激装置の一例によれば、前記導子配置部の表面を保護する保護シートをさらに備え、前記保護シートは前記電極部よりも高い剛性を有する。
上記電気刺激装置によれば、不使用時に保護シートが導子配置部の表面に取り付けられることにより、導電ゲル等に埃等が付着しにくくなる。また、保護シートが電極部よりも高い剛性を有するため、保護シートを導子配置部に取り付けた状態においてサポーターを対象部位に装着した場合にユーザーが違和感を覚えやすい。このため、保護シートを導子配置部に取り付けたまま、上記電気刺激装置が使用されるおそれが低減される。
【００４３】
〔２０〕前記電気刺激装置の一例によれば、前記第１のサポーターに取り付けられる前記電極部、および、前記第２のサポーターに取り付けられる前記電極部に電源の電力を供給するハーネスをさらに備え、前記ハーネスは、前記第１のサポーターに取り付けられる前記電極部と接続される第１の線と、前記第２のサポーターに取り付けられる前記電極部と接続される第２の線と、前記第１の線および前記第２の線に繋がる共通線とを備え、前記第１の線および前記第２の線の少なくとも一方は伸縮可能である。
【００４４】
電気刺激装置を使用して運動する場合、ユーザーが実施する運動の内容によっては第１のサポーターと第２のサポーターとの距離が離れ、ハーネスが強く引っ張られることがある。このため、ハーネスの劣化が促進する。一方、上記電気刺激装置によれば、一方の電極部と他方の電極部とを接続するハーネスの一部が伸縮するため、第１のサポーターと第２のサポーターとの距離が離れた場合であってもハーネスが引っ張られにくい。このため、ハーネスの劣化が促進しにくい。
【００４５】
〔２１〕前記電気刺激装置の一例によれば、前記共通線は、前記電極部を制御するコントローラーと接続可能であり、前記ハーネスは前記共通線における前記第１の線および前記第２の線寄りの部分、ならびに、前記コントローラー寄りの部分の少なくとも一方に取り付けられるクリップをさらに備える。
【００４６】
ユーザーがサポーターを対象部位に装着するとき、ハーネスが邪魔に感じることがある。一方、上記電気刺激装置によれば、上記〔２１〕のとおりクリップが取り付けられているため、サポーターを対象部位に装着する前にクリップを上着等に取り付けることによりハーネスを固定できる。このため、サポーターを対象部位に装着するときにハーネスが邪魔に感じにくい。
【００４７】
〔２２〕前記電気刺激装置の一例によれば、前記電極部を制御するコントローラーを保持する保持ケースをさらに備え、前記保持ケースは、前記コントローラーを収納するケース本体と、ベルトを挿入可能なループと、前記ループが前記ケース本体の上部を支点として前記ケース本体に対して揺動できるように前記ケース本体と前記ループとを繋げる接続部とを備える。
【００４８】
電気刺激装置を使用するユーザーは、例えばサポーターを対象部位の一例である大腿に装着した後にズボン等を着用する。この場合、例えばズボンの外側から保持ケースのループに挿入されたベルトが締められる。しかし、ユーザーによってはベルトを外部に露出させることに不快感を覚えることがある。一方、上記電気刺激装置によれば、上記〔２２〕のとおり保持ケースにケース本体とループとを繋げる接続部が設けられる。このため、ベルトを締めてからケース本体とループとの間にズボンを挟み込むことにより、ケース本体をズボンの外側に配置するとともにベルトをズボンの内側に配置できる。このため、ベルトを外部に露出させずにベルトを締めることができる。
【００４９】
（実施の形態）
図１は電気刺激装置１の使用状態の一例を示す。電気刺激装置１は、身体の対象部位である大腿２００に装着される複数のサポーター１０を備える。複数のサポーター１０は、左半身の大腿２００に装着される第１のサポーター１０、および、右半身の大腿２００に装着される第２のサポーター１０を備える。第１のサポーター１０および第２のサポーター１０は、身体の正中面に対して左右対称の関係を有する。なお、以下の説明では第１のサポーター１０および第２のサポーター１０に共通する事項を説明する場合、サポーター１０の種類を区別していない。
【００５０】
電気刺激装置１はさらに、各サポーター１０の内面に分離可能に取り付けられ、大腿２００に電気刺激を与える第１の電極部３０および第２の電極部４０（図２参照）、ならびに、各サポーター１０に取り付けられる検出部である角速度センサー５１を備える。第１の電極部３０は、例えばサポーター１０が大腿２００に装着された場合に大腿四頭筋と対向するサポーター１０上の位置に配置される。第２の電極部４０は、例えばサポーター１０が大腿２００に装着された場合にハムストリングと対向するサポーター１０上の位置に配置される。角速度センサー５１は、例えば膝関節まわりで回転する大腿２００の角速度が反映された信号を出力する。
【００５１】
電気刺激装置１はさらに、各電極部３０，４０から出力される電気刺激を制御するコントローラー１００、ならびに、各電極部３０，４０および角速度センサー５１とコントローラー１００とを電気的に接続するハーネス６０を備える。コントローラー１００は、電気刺激装置１の電源のオンおよびオフを切り替えるための操作部１０１、情報が出力される報知部１０２、ならびに、コントローラー１００を構成する要素等に一次電池または二次電池の電力を供給する電源（図示略）を備える。報知部１０２の一例はディスプレイである。ハーネス６０は例えば、各電極部３０，４０および各角速度センサー５１に電源の電力を供給する。
【００５２】
図２は展開された状態の第１のサポーター１０の内面を示す。サポーター１０は、大腿２００（図１参照）の前側に巻き付けられる部分である第１の部分１１、大腿２００の後側に巻き付けられる部分である第２の部分１２、および、第１の部分１１と重畳するように巻き付けられる部分である第３の部分１３を備える。サポーター１０は第１の部分１１、第２の部分１２、および、第３の部分１３が連続して形成されることにより構成される。第２の部分１２は第１の部分１１と第３の部分１３との間の部分である。なお、図２に示されるサポーター１０は、右から順に第１の部分１１、第２の部分１２、および、第３の部分１３である。
【００５３】
サポーター１０は、その長手方向において第２の部分１２がくびれている。すなわち、サポーター１０の短手方向における第２の部分１２の縁は、サポーター１０の短手方向における第１の部分１１の縁および第３の部分１３の縁に対して凹んでいる。このため、サポーター１０の短手方向における第２の部分１２の幅は、サポーター１０の短手方向における第１の部分１１の幅および第３の部分１３の幅よりも狭い。なお、サポーター１０の長手方向は大腿２００の周方向と実質的に一致し、サポーター１０の短手方向は大腿２００の長手方向と実質的に一致している。
【００５４】
第１の電極部３０は第１の部分１１の内面に取り付けられる。第１の電極部３０は、大腿２００に電気刺激を与える複数の導子対、導子対が取り付けられる第１の面３４および角速度センサー５１が取り付けられる第２の面３７（図５参照）を備えるシート３３、ならびに、導電性を有する一対の導電ゲル３５を備える。複数の導子対は第１の導子対３１および第２の導子対３２を含む。第１の面３４はサポーター１０の内面側の面である。
【００５５】
シート３３の一例は柔軟性を有するＰＥＴ（Polyethylene terephthalate）シートである。シート３３は、第１の導子対３１の配列に対応した形状を有する第１の導子配置部３４Ａ、第２の導子対３２の配列に対応した形状を有する第２の導子配置部３４Ｂ、および、第１の導子配置部３４Ａと第２の導子配置部３４Ｂとを繋げる接続部３４Ｃを備える。第１の導子配置部３４Ａ、第２の導子配置部３４Ｂ、および、接続部３４Ｃの正面は第１の面３４を構成する。第１の導子配置部３４Ａは第１の導子対３１を支持し、第２の導子配置部３４Ｂは第２の導子対３２を支持する。
【００５６】
第１の導子対３１および第２の導子対３２は、第１の導子対３１を構成する一対の導子３１Ａの配列方向と第２の導子対３２を構成する一対の導子３２Ａの配列方向とが平行するように配置される。一対の導子３１Ａ，３２Ａの配列方向における接続部３４Ｃの寸法は、第１の導子配置部３４Ａおよび第２の導子配置部３４Ｂの寸法よりも短い。
【００５７】
一対の導電ゲル３５は各導子配置部３４Ａ，３４Ｂとの間に各導子対３１，３２を挟み込んでいる。一対の導電ゲル３５は導子配置部３４Ａ，３４Ｂと相似形を有し、中心が一致するように各導子配置部３４Ａ，３４Ｂに取り付けられる。導電ゲル３５の面積は、例えば導子配置部３４Ａ，３４Ｂの面積と実質的に同じ面積を有する。また、第１の電極部３０は、例えば各導子対３１，３２を構成する一対の導子３１Ａ，３２Ａの配列方向がサポーター１０の長手方向に沿うように第１の部分１１の予め決められた位置に取り付けられる。
【００５８】
第２の電極部４０は第２の部分１２の内面に取り付けられる。第２の電極部４０は、大腿２００に電気刺激を与える複数の導子対、導子対が取り付けられる第１の面４４を備えるシート４３、および、導電性を有する一対の導電ゲル４５を備える。複数の導子対は第１の導子対４１および第２の導子対４２を含む。第１の面４４はサポーター１０の内面側の面である。
【００５９】
シート４３の一例は柔軟性を有するＰＥＴシートである。シート４３は、第１の導子対４１の配列に対応した形状を有する第１の導子配置部４４Ａ、第２の導子対４２の配列に対応した形状を有する第２の導子配置部４４Ｂ、および、第１の導子配置部４４Ａと第２の導子配置部４４Ｂとを繋げる接続部４４Ｃを備える。第１の導子配置部４４Ａ、第２の導子配置部４４Ｂ、および、接続部４４Ｃの正面は第１の面４４を構成する。第１の導子配置部４４Ａは第１の導子対４１を支持し、第２の導子配置部４４Ｂは第２の導子対４２を支持する。
【００６０】
第１の導子対４１および第２の導子対４２は、第１の導子対４１を構成する一対の導子４１Ａの配列方向と第２の導子対４２を構成する一対の導子４２Ａの配列方向とが平行するように配置される。一対の導子４１Ａ，４２Ａの配列方向における接続部４４Ｃの一方の縁は、第１の導子配置部４４Ａおよび第２の導子配置部４４Ｂに対して凹んでいる。
【００６１】
一対の導電ゲル４５は各導子配置部４４Ａ，４４Ｂとの間に各導子対４１，４２を挟み込んでいる。一対の導電ゲル４５は導子配置部４４Ａ，４４Ｂと相似形を有し、中心が一致するように各導子配置部４４Ａ，４４Ｂに取り付けられる。導電ゲル４５の面積は、例えば導子配置部４４Ａ，４４Ｂの面積と実質的に同じ面積を有する。また、第２の電極部４０は、例えば各導子対４１，４２を構成する一対の導子４１Ａ，４２Ａの配列方向がサポーター１０の短手方向に沿うように第２の部分１２に取り付けられる。
【００６２】
サポーター１０はさらに、サポーター１０が大腿２００にフィットするように調節するための第１の調節部１４、および、サポーター１０の長手方向におけるサポーター１０に対する第２の電極部４０の位置を調節するための第２の調節部１５を備える。
【００６３】
第１の調節部１４の一例は面ファスナーである。面ファスナーは、サポーター１０の第３の部分１３の内面に取り付けられるフック１４Ａ、および、サポーター１０の第１の部分１１の外面に取り付けられるループ１４Ｂ（図３参照）により構成される。サポーター１０が大腿２００に巻き付けられ、フック１４Ａおよびループ１４Ｂが互いに貼り合せられることによりサポーター１０が大腿２００に装着された状態が保持される。サポーター１０の長手方向においてループ１４Ｂに対するフック１４Ａの貼付位置が調節されることにより、サポーター１０に対する大腿２００のフィット感が調節される。なお、図２の第３の部分１３に示されるドットはフック１４Ａを示し、図３の第１の部分１１に示されるドットはループ１４Ｂを示している。
【００６４】
第２の調節部１５の一例は面ファスナーである。面ファスナーは、第２の電極部４０の背面に取り付けられる１つまたは複数のフック（図示略）、および、第２の部分１２の内面に取り付けられる複数のループ１５Ａにより構成される。複数のループ１５Ａは、サポーター１０の長手方向に沿って並べられている。フックおよびループ１５Ａが互いに貼り合せられることにより、第２の電極部４０がサポーター１０に取り付けられる。複数のループ１５Ａに対するフックの貼付位置が変更されることにより、サポーター１０に対する第２の電極部４０の位置が調節される。なお、図２の第２の部分１２に示されるドットはループ１５Ａを示している。
【００６５】
サポーター１０はさらに、大腿２００の太さに関する情報を教示する第１の目印１６（図３参照）、および、サポーター１０上における第２の電極部４０の取り付け位置であり、サポーター１０上における第１の目印１６と対応する位置を教示する第２の目印１７を備える。
【００６６】
図３は展開された状態の第１のサポーター１０の外面を示す。第１の目印１６は、例えば３段階により大腿２００（図１参照）の太さに関する情報を示す表記部１６Ａ、表記部１６Ａの各段階の範囲を規定する第１の範囲規定線１６Ｂおよび第２の範囲規定線１６Ｃ、ならびに、表記部１６Ａの各段階のいずれに含まれるかを教示する教示部１６Ｄを含む。表記部１６Ａは例えばサポーター１０の短手方向における第１の部分１１の外面の縁に形成され、「Ｓ」、「Ｍ」、および、「Ｌ」の３段階の表記により大腿２００の太さに関する情報を示している。表記部１６Ａの「Ｓ」の表記は大腿２００の太さが細いことを示唆し、「Ｍ」の表記は大腿２００の太さが「Ｓ」よりも太いことを示唆し、「Ｌ」の表記は大腿２００の太さが「Ｍ」よりも太いことを示唆している。表記部１６Ａの「Ｓ」、「Ｍ」、および、「Ｌ」の表記は、サポーター１０の長手方向に沿って並べられる。
【００６７】
第１の範囲規定線１６Ｂは例えば表記部１６Ａの「Ｓ」の表記と「Ｍ」の表記との間に形成され、第２の範囲規定線１６Ｃは例えば表記部１６Ａの「Ｍ」の表記と「Ｌ」の表記との間に形成されている。すなわち、表記部１６Ａの「Ｓ」の範囲は、サポーター１０の長手方向において第１の範囲規定線１６Ｂよりも第２の部分１２側の範囲である。表記部１６Ａの「Ｍ」の範囲は、第１の範囲規定線１６Ｂおよび第２の範囲規定線１６Ｃにより規定される範囲である。表記部１６Ａの「Ｌ」の範囲は、サポーター１０の長手方向において第２の範囲規定線１６Ｃよりも第２の部分１２とは反対側の範囲である。
【００６８】
教示部１６Ｄは例えばサポーター１０の短手方向における第３の部分１３の外面の縁に形成され、概ね三角の形状を有する。サポーター１０が大腿２００に装着されることにより、大腿２００の太さが表記部１６Ａの「Ｓ」の範囲、「Ｍ」の範囲、および、「Ｌ」の範囲のいずれの範囲に含まれるかが教示部１６Ｄにより指し示される。これにより、第１の目印１６に基づいて大腿２００の太さが確認できる。
【００６９】
また、サポーター１０は大腿２００の中心に合わせるための中心目印１８を備える。中心目印１８は、第１の部分１１の外側に形成され、サポーター１０の短手方向に伸びる中心線１８Ａ、および、中心線１８Ａ上において表記部１６Ａとは反対側の位置に形成される膝用目印１８Ｂを含む。膝用目印１８Ｂはサポーター１０を大腿２００に装着するときに、膝の先端に合わせるための目印である。このため、例えば中心線１８Ａを大腿２００の中心に合わせながら膝用目印１８Ｂが膝の先端に合わせられ、第１の部分１１を大腿２００に載せた状態において第２の部分１２および第３の部分１３を大腿２００に巻き付けることによりサポーター１０が大腿２００に装着される。なお、サポーター１０が大腿２００に装着されることにより、中心目印１８と対向する部分にくびれた部分である第２の部分１２が配置される。
【００７０】
図２に示されるように、第２の目印１７は、例えば３段階により第１の目印１６（図３参照）と対応する位置を示す表記部１７Ａ、第２の電極部４０の取り付け位置を教示する教示部１７Ｂ、および、第２の電極部４０の位置を調節するための調節部１７Ｃを含む。表記部１７Ａは例えば第２の部分１２の内面に形成され、第１の目印１６の表記部１６Ａ（図３参照）と同じ表記を備える。表記部１７Ａの「Ｓ」、「Ｍ」、および、「Ｌ」の表記は、サポーター１０の長手方向に沿って並べられる。
【００７１】
教示部１７Ｂは例えば表記部１７Ａの「Ｓ」の表記の下方、「Ｍ」の表記の下方、および、「Ｌ」の表記の下方の３箇所に形成され、概ね三角の形状を有する。調節部１７Ｃは例えば第２の電極部４０の接続部４４Ｃの凹んでいる部分に形成され、概ね三角の形状を有する。例えば、第１の目印１６の教示部１６Ｄ（図３参照）により大腿２００の太さが「Ｍ」の範囲に含まれると教示された場合、調節部１７Ｃにより指し示される箇所と「Ｍ」の表記の下方に形成された教示部１７Ｂにより指し示される箇所とが一致するように、第２の電極部４０をサポーター１０に取り付ける。
【００７２】
ハーネス６０は、電源の電力を第１の電極部３０に供給する第１のハーネス６１、および、第１の電極部３０から第２の電極部４０に電力を供給する第２のハーネス６５を含む。第１のハーネス６１は、例えば第１の電極部３０とコントローラー１００（図１参照）とを電気的に接続している。第２のハーネス６５は、例えばサポーター１０の内面を通って第１の電極部３０と第２の電極部４０とを電気的に接続している。第２のハーネス６５の長さは第１のハーネス６１の長さよりも短い。
【００７３】
サポーター１０は、第２のハーネス６５を収容する収容部１９をさらに備える。収容部１９は例えばサポーター１０の短手方向における縁に沿って形成され、第２の部分１２から第１の部分１１に跨るように伸びている。
【００７４】
図４は収容部１９が開放した状態を示す。収容部１９は、第２のハーネス６５を収容するフラップ１９Ａ、および、フラップ１９Ａを閉鎖するための１つまたは複数の結合部１９Ｂを備える。結合部１９Ｂは例えばフラップ１９Ａの裏面およびサポーター１０の内面に取り付けられる。第２のハーネス６５を収容部１９に収容する場合、例えば結合部１９Ｂを解除してフラップ１９Ａを開放させ、第２のハーネス６５をフラップ１９Ａの内部に収容し、再び結合部１９Ｂを結合させることにより第２のハーネス６５が収容部１９に収容される。
【００７５】
図２に示されるように、サポーター１０は右半身または左半身を教示する第１の対応目印２０をさらに備える。すなわち、第１の対応目印２０は左半身の大腿２００（図１参照）に装着される第１のサポーター１０であることを示す情報を教示する。第１の対応目印２０は例えば第１の部分１１の内面に形成される。なお、第２のサポーター１０（図１参照）は、右半身の大腿２００に装着される第２のサポーター１０であることを示す情報を教示する第１の対応目印２０を備える。
【００７６】
また、第１の電極部３０は右半身または左半身を教示する第２の対応目印３８をさらに備える。すなわち、第２の対応目印３８は左半身の大腿２００に電気刺激を与える第１の電極部３０であることを示す情報を教示する。第２の対応目印３８は例えば第１の電極部３０の接続部３４Ｃに形成される。なお、第２のサポーター１０に取り付けられる第１の電極部３０は、右半身の大腿２００に電気刺激を与える第１の電極部３０であることを示す情報を教示する。
【００７７】
図５は第１の電極部３０の第２の面３７を示す。電気刺激装置１（図１参照）は、角速度センサー５１を収容するケース５０をさらに備える。ケース５０は長手方向および短手方向を規定可能な細長い形状を有し、第１の電極部３０の第２の面３７に分離可能に取り付けられる。すなわち、角速度センサー５１および第１の電極部３０は分離可能に一体的に構成される。
【００７８】
ケース５０は例えばその長手方向が大腿２００（図１参照）の長手方向に沿うように配置される。すなわち、ケース５０は第１の電極部３０の接続部３４Ｃの背面を通過するように配置される。また、ケース５０の短手方向の寸法は接続部３４Ｃの寸法よりも短い。
【００７９】
図６はケース５０の内部構造を示す。電気刺激装置１（図１参照）は、第１のハーネス６１および第２のハーネス６５と接続可能であり、第１の電極部３０と電気的に接続されるコネクタ５２をさらに備える。ケース５０は角速度センサー５１に加えて、コネクタ５２も収容している。
【００８０】
図７に示されるように、ハーネス６０は、第１のハーネス６１および一対の第２のハーネス６５を含む。一方の第２のハーネス６５は、第１のサポーター１０（図１参照）に取り付けられる第１の電極部３０と第２の電極部４０とを電気的に接続している。他方の第２のハーネス６５は、第２のサポーター１０（図１参照）に取り付けられる第１の電極部３０と第２の電極部４０とを電気的に接続している。
【００８１】
第１のハーネス６１は、第１のサポーター１０に取り付けられる第１の電極部３０と接続される第１の線６２、第２のサポーター１０に取り付けられる第１の電極部３０と接続される第２の線６３、ならびに、第１の線６２および第２の線６３に繋がる共通線６４を備える。第１の線６２は伸縮可能な伸縮部６２Ａを含む。第２の線６３は伸縮可能な伸縮部６３Ａを含む。共通線６４は伸縮可能な伸縮部６４Ａを含み、コントローラー１００と接続される。共通線６４の伸縮部６４Ａが伸縮可能な長さは、第１の線６２および第２の線６３の各伸縮部６２Ａ，６３Ａが伸縮可能な長さよりも長い。また、第１の線６２の伸縮部６２Ａの伸縮可能な長さは、第２の線６３の伸縮部６３Ａの伸縮可能な長さと実質的に同じである。
【００８２】
第１のハーネス６１はさらに、共通線６４における第１の線６２および第２の線６３寄りの部分に取り付けられる第１のクリップ７１、ならびに、共通線６４におけるコントローラー１００寄りの部分に取り付けられる第２のクリップ７２を備える。第１のクリップ７１および第２のクリップ７２は例えば着用される衣服等に取り付け可能である。
【００８３】
図８に示されるように、電気刺激装置１（図１参照）は、第１の電極部３０のシート３３の表面を保護する第１の保護シート３６、および、第２の電極部４０のシート４３の表面を保護する第２の保護シート４６をさらに備える。第１の保護シート３６は例えば第１の電極部３０よりも高い剛性を有し、シート３３の表面と実質的に同じ形状を有する。第１の保護シート３６がシート３３の表面に取り付けられることにより、各導子配置部３４Ａ，３４Ｂ上に配置される導電ゲル３５が外部から保護される。
【００８４】
第２の保護シート４６は例えば第２の電極部４０よりも高い剛性を有し、シート４３の表面と実質的に同じ形状を有する。第２の保護シート４６がシート４３の表面に取り付けられることにより、各導子配置部４４Ａ，４４Ｂ上に配置される導電ゲル４５が外部から保護される。
【００８５】
図９に示されるように、電気刺激装置１（図１参照）は、コントローラー１００（図１参照）を保持する保持ケース８０、および、保持ケース８０を支持するベルト９０をさらに備える。保持ケース８０は、コントローラー１００を収納するケース本体８１、ベルト９０を挿入可能なループ８２、および、ループ８２がケース本体８１の上部を支点としてケース本体８１に対して揺動できるようにケース本体８１とループ８２とを繋げる接続部８３を備える。なお、図９に示される矢印はベルト９０の挿入方向の一例を示している。
【００８６】
図１０に示されるように、接続部８３はケース本体８１の背面側の上部とループ８２の上部とを互いに接続している。保持ケース８０はケース本体８１とループ８２とを開閉可能に結合するための結合部８４をさらに備える。結合部８４が閉鎖している場合、ケース本体８１に収納されるコントローラー１００の自重が結合部８４により支持される。一方、結合部８４が開放している場合、ケース本体８１に収納されるコントローラー１００の自重が結合部８４により支持されず、ケース本体８１がループ８２に対して下がる。
【００８７】
図１１は保持ケース８０の第１の装着状態の一例を示す。第１の装着状態ではズボン２１０の外側にベルト９０が配置される。第１の装着状態によれば、保持ケース８０がユーザーにより以下の手順で装着される。まず、ズボン２１０が腰まで着用される。次に、保持ケース８０のループ８２に挿入されたベルト９０がズボン２１０の外側から締められる。次に、保持ケース８０の結合部８４が閉じられる。最後に、ケース本体８１にコントローラー１００が収納される。これにより、コントローラー１００が安定して保持ケース８０により保持される。
【００８８】
図１２は保持ケース８０の第２の装着状態の一例を示す。第２の装着状態ではズボン２１０の内側にベルト９０が配置される。第２の装着状態によれば、保持ケース８０がユーザーにより以下の手順で装着される。まず、保持ケース８０のループ８２に挿入されたベルト９０が締められる。次に、ズボン２１０がケース本体８１とループ８２との間に挟み込まれるようにズボン２１０を腰まで着用する。このとき、保持ケース８０の結合部８４は開放されている。最後に、ケース本体８１にコントローラー１００が収納される。この第２の装着状態によれば、コントローラー１００の自重が保持ケース８０の接続部８３により支持される。このため、コントローラー１００が安定して保持ケース８０により保持される。
【００８９】
図２および図１３〜図１８を参照して、電気刺激装置１の装着手順について説明する。
電気刺激装置１は典型的には次の手順を経て大腿２００に装着される。第１の手順では、図１８に示されるとおり第１のクリップ７１および第２のクリップ７２が上着２２０等の衣服に取り付けられる。このとき、コントローラー１００（図７参照）は第１のハーネス６１から取り外される。
【００９０】
第２の手順では、図２に示されるとおり第１の電極部３０および第２の電極部４０がサポーター１０に取り付けられる。一例によれば、第２の目印１７の調節部１７Ｃにより指し示される箇所が「Ｍ」の表記の下方に形成された教示部１７Ｂにより指し示される箇所と一致するように、第２の電極部４０がサポーター１０に取り付けられる。
【００９１】
第３の手順では、図１３に示されるとおり一方のサポーター１０が大腿２００に装着される。具体的には、中心線１８Ａが大腿２００の中心に合うように膝用目印１８Ｂが膝の先端に合わせられ、大腿２００に第１の部分１１を載せた状態において第２の部分１２および第３の部分１３が大腿２００に巻き付けられる。そして、サポーター１０が大腿２００にフィットするようにループ１４Ｂに対するフック１４Ａ（図２参照）の貼付位置が調節されることにより、一方のサポーター１０が大腿２００に装着される。なお、サポーター１０が装着される大腿２００は肌が露出している。
【００９２】
第４の手順では、第１の目印１６を参照して大腿２００の太さに関する情報が確認される。第１の目印１６の教示部１６Ｄにより表記部１６Ａの「Ｍ」の範囲が指し示される場合、第２の手順により第２の電極部４０が「Ｍ」の位置に取り付けられているため、各電極部３０，４０が大腿２００の適切な位置に配置されていることが示唆される。すなわち、第１の電極部３０が大腿四頭筋と対向するサポーター１０上の位置に配置され、第２の電極部４０がハムストリングと対向するサポーター１０上の位置に配置されている。このため、第２の手順によりサポーター１０に取り付けられた第２の電極部４０の位置と第４の手順により確認された情報とが一致する場合、第８の手順に移行する。
【００９３】
一方、図１４に示されるとおり、第４の手順において第１の目印１６の教示部１６Ｄにより表記部１６Ａの「Ｓ」の範囲が指し示される場合、第５の手順に移行する。第５の手順では、第３の手順により装着されたサポーター１０が大腿２００から取り外される。第６の手順では、図１５に示されるとおり第２の目印１７の調節部１７Ｃにより指し示される箇所が第１の目印１６と対応する位置である表記部１７Ａの「Ｓ」の表記の下方に形成された教示部１７Ｂにより指し示される箇所と一致するように、サポーター１０に対する第２の電極部４０の位置が調節される。第７の手順では、第３の手順と同じ手順で一方のサポーター１０が大腿２００に装着されることにより、各電極部３０，４０が大腿２００の適切な位置に配置される。そして、第８の手順に移行する。
【００９４】
また、図１６に示されるとおり、第４の手順において第１の目印１６の教示部１６Ｄにより表記部１６Ａの「Ｌ」の範囲が指し示される場合、第５の手順に移行する。第５の手順では、第３の手順により装着されたサポーター１０が大腿２００から取り外される。第６の手順では、図１７に示されるとおり第２の目印１７の調節部１７Ｃにより指し示される箇所が第１の目印１６と対応する位置である表記部１７Ａの「Ｌ」の表記の下方に形成された教示部１７Ｂにより指し示される箇所と一致するように、サポーター１０に対する第２の電極部４０の位置が調節される。第７の手順では、第３の手順と同じ手順で一方のサポーター１０が大腿２００に装着されることにより、各電極部３０，４０が大腿２００の適切な位置に配置される。そして、第８の手順に移行する。
【００９５】
第８の手順では、第４の手順により確認した第１の目印１６に関する情報に基づいて、他方のサポーター１０が大腿２００に装着される。第９の手順では、図１８に示されるとおり、装着された各サポーター１０を覆うようにズボン２１０が着用される。第１０の手順では、保持ケース８０の第１の装着状態（図１１参照）および第２の装着状態（図１２参照）のいずれかにより保持ケース８０が装着され、第１のハーネス６１が接続されたコントローラー１００がケース本体８１に収納される。以上のように、第１の手順から第１０の手順を経て電気刺激装置１が大腿２００に装着される。
【００９６】
実施の形態の電気刺激装置１によれば、以下の効果が得られる。
（１）角速度センサー５１および第１の電極部３０は互いに電力が供給されることにより機能する。このため、例えば電源の電力を供給するハーネス６０が角速度センサー５１および第１の電極部３０に接続される。一方、角速度センサー５１と第１の電極部３０とが離れた位置に設けられる場合、例えば角速度センサー５１に電力を供給するハーネス、および、第１の電極部３０に電力を供給するハーネスが必要になる。
【００９７】
電気刺激装置１によれば、角速度センサー５１および第１の電極部３０が一体的に構成されるため、角速度センサー５１および第１の電極部３０に電力を供給するハーネス６０が１本に纏められる。このため、角速度センサー５１と第１の電極部３０とが離れた位置に設けられる場合と比較して、部品点数を削減することに貢献できる。
【００９８】
また、角速度センサー５１および第１の電極部３０が一体的に構成される場合、サポーター１０上における角速度センサー５１および第１の電極部３０の一方の配置が他方の配置により制限されない。このため、電気刺激装置１によれば、角速度センサー５１および第１の電極部３０が互いにサポーター１０の第１の部分１１に設けられる。この第１の部分１１は大腿２００の前側に巻き付けられるため、大腿四頭筋と対向し、大腿２００の動作が反映されやすい。このため、角速度センサー５１により精度の高い大腿２００の角速度が反映された信号が出力されるとともに、第１の電極部３０により効率よく大腿四頭筋が鍛えられる。
【００９９】
（２）電気刺激装置１によれば、角速度センサー５１およびコネクタ５２が１つのケース５０により収容される。このため、コネクタ５２を収容するケースと角速度センサー５１を収容するケースとが個別に設けられる場合と比較して、部品点数が一層削減される。
【０１００】
（３）ケース５０の長手方向が大腿２００の周方向に沿うようにケース５０が配置される場合、電気刺激装置１を使用して運動するユーザーによっては大腿２００とケース５０とのフィット感に違和感を覚え、運動を妨げる要因となるおそれがある。一方、電気刺激装置１によれば、ケース５０の長手方向が大腿２００の長手方向に沿うようにケース５０が配置されるため、大腿２００とケース５０とのフィット感に違和感を覚えにくい。このため、ユーザーが実施する運動が妨げられるおそれが低減される。
【０１０１】
（４）第１の電極部３０は例えば埃等が付着した場合に大腿２００に与えられる電気刺激が低下するため、定期的にメンテナンスすることが好ましい。電気刺激装置１によれば、第１の電極部３０と角速度センサー５１とが分離可能であるため、第１の電極部３０をメンテナンスしやすい。
【０１０２】
（５）第１の電極部３０における導子対３１，３２が取り付けられるシート３３の第１の面３４に角速度センサー５１が取り付けられる場合、大腿２００と導子対３１，３２とのフィット感が角速度センサー５１により妨げられるおそれがある。一方、電気刺激装置１によれば、シート３３の第２の面３７に角速度センサー５１が取り付けられるため、大腿２００と導子対３１，３２とのフィット感が角速度センサー５１により妨げられるおそれが低減される。
【０１０３】
（６）第１の電極部３０における導子配置部３４Ａ，３４Ｂの縁が大腿２００と直接接触した場合、ユーザーが不快感を覚えるおそれがある。一方、電気刺激装置１によれば、一対の導電ゲル３５の面積が各導子配置部３４Ａ，３４Ｂの面積と実質的に同じ面積を有するため、導子配置部３４Ａ，３４Ｂの縁が大腿２００と接触することが一対の導電ゲル３５により妨げられやすい。このため、ユーザーが不快感を覚えにくい。なお、第２の電極部４０においても同様の効果が得られる。
【０１０４】
（７）電気刺激装置１によれば、一対の導子３１Ａ，３２Ａの配列方向における接続部３４Ｃの寸法は、第１の導子配置部３４Ａおよび第２の導子配置部３４Ｂの寸法よりも短い。このため、一対の導子３１Ａ，３２Ａの配列方向におけるシート３３の寸法が均一である場合と比較して、大腿２００に対する第１の電極部３０の密着性が高められる。
【０１０５】
（８）電気刺激装置１によれば、トレーニング効果を高める観点から第１の導子配置部３４Ａと第２の導子配置部３４Ｂとの間に間隔が空けられている。すなわち、トレーニング効果を高めるためにシート３３の接続部３４Ｃが設けられている。一方、電気刺激装置１によれば、ケース５０が接続部３４Ｃの背面を通過するように配置される。すなわち、角速度センサー５１がシート３３の接続部３４Ｃの背面に配置される。このため、効率的にスペースを活用できる。
【０１０６】
（９）電気刺激装置１によれば、シート３３が柔軟性を有するため、第１の電極部３０が大腿２００にフィットしやすい。このため、大腿２００に対する第１の電極部３０の密着性が高められる。なお、第２の電極部４０においても同様の効果が得られる。
【０１０７】
（１０）電気刺激装置１によれば、サポーター１０が大腿２００に装着されることにより角速度センサー５１および各電極部３０，４０が大腿２００に固定されるため、角速度センサー５１および各電極部３０，４０が大腿２００から外れにくい。
【０１０８】
（１１）電気刺激装置を使用するユーザー毎によって大腿２００の太さが異なる。このため、サポーターが大腿２００に装着されたとき、第１の電極部３０および第２の電極部４０の少なくとも一方が大腿２００の適切な位置に取り付けられないことがある。一方、電気刺激装置１によれば、サポーター１０の長手方向におけるサポーター１０に対する第２の電極部４０の位置を調節するための第２の調節部１５を備えるため、第２の電極部４０の位置がユーザー毎に調節できる。このため、大腿２００の適切な位置に各電極部３０，４０が取り付けられやすい。
【０１０９】
（１２）電気刺激装置１によれば、上記第２の手順から上記第７の手順を実施することにより、各電極部３０，４０が大腿２００の適切な位置に取り付けられる。このため、ユーザーが自身の感覚に基づいて各電極部３０，４０の位置を決定する場合と比較して、各電極部３０，４０が大腿２００の適切な位置に容易に取り付けられる。
【０１１０】
（１３）第１の電極部３０に電力を供給するハーネス、および、第２の電極部４０に電力を供給するハーネスを備える場合、２本の長いハーネスが必要になる。一方、電気刺激装置１によれば、第１のハーネス６１を介して第１の電極部３０に電源の電力が供給され、第２のハーネス６５を介して第１の電極部３０から第２の電極部４０に電力が供給される。この第１のハーネス６１は上記２本の長いハーネスと実質的に同じ長さを有するのに対し、第２のハーネス６５は第１のハーネス６１よりも短い。このため、２本の長いハーネスを備える場合と比較して、電気刺激装置１の構造が簡素化される。
【０１１１】
また、サポーター１０を大腿２００に装着した状態において、第２のハーネス６５はサポーター１０の外部に露出しない。このため、第１のハーネス６１と第２のハーネス６５とが絡まるおそれが低減される。また、電気刺激装置１の意匠性の向上に貢献できる。
【０１１２】
（１４）サポーター１０が大腿２００に装着されたとき、例えば第１のハーネス６１の一部および第２のハーネス６５の全部がサポーター１０と大腿２００との間に存在する。このため、各ハーネス６１，６５が大腿２００と直接接触することにより、ユーザーが不快感を覚えるおそれがある。一方、電気刺激装置１によれば、第２のハーネス６５が収容部１９に収容されるため、第２のハーネス６５が大腿２００と直接接触しにくい。このため、ユーザーが不快感を覚えるおそれが低減される。
【０１１３】
（１５）大腿四頭筋のトレーニング効果を向上させるために電気刺激を与える部位ついて検討した結果、大腿直筋、外側広筋、および、内側広筋に跨るように電気刺激を与えることができれば、大腿四頭筋のトレーニング効果が向上することが確認された。電気刺激装置１はこの検討の結果を踏まえ、各導子対３１，３２を構成する一対の導子３１Ａ，３２Ａの配列方向がサポーター１０の長手方向に沿うように第１の電極部３０をサポーター１０に取り付けている。これにより、大腿直筋、外側広筋、および、内側広筋に跨るように電気刺激が与えられるため、大腿四頭筋のトレーニング効果が高められる。
【０１１４】
（１６）ハムストリングのトレーニング効果を向上させるために電気刺激を与える部位について検討した結果、２本のハムストリングに沿うように電気刺激を与えることができれば、ハムストリングのトレーニング効果が向上することが確認された。電気刺激装置１はこの検討の結果を踏まえ、各導子対４１，４２を構成する一対の導子４１Ａ，４２Ａの配列方向がサポーター１０の短手方向に沿うように第２の電極部４０をサポーター１０に取り付けている。これにより、２本のハムストリングに沿うように電気刺激が与えられるため、ハムストリングのトレーニング効果が高められる。
【０１１５】
（１７）サポーター１０を大腿２００に装着するとき、または、サポーター１０を大腿２００に装着した後において、膝関節を屈曲させるとき等にサポーター１０と膝の裏とが接触することにより、ユーザーが不快感を覚えるおそれがある。一方、電気刺激装置１によれば、サポーター１０はその長手方向において大腿２００の後側に巻き付けられる部分である第２の部分１２がくびれているため、サポーター１０と膝の裏とが接触しにくくなる。このため、ユーザーが不快感を覚えるおそれが低減される。
【０１１６】
（１８）サポーター１０は右半身または左半身を教示する第１の対応目印２０を備える。このため、電気刺激装置１を使用するユーザーは、例えば第１の対応目印２０を確認してから右半身の大腿２００に対応するサポーター１０を装着するとともに、左半身の大腿２００に対応するサポーター１０を装着する。このため、右半身および左半身の大腿２００にそれぞれ反対のサポーター１０が装着されるおそれが低減される。
【０１１７】
（１９）第１の電極部３０は右半身または左半身を教示する第２の対応目印３８を備える。このため、電気刺激装置１を使用するユーザーは、例えば第２の対応目印３８を確認してから第１のサポーター１０に対応する第１の電極部３０を取り付けるとともに、第２のサポーター１０に対応する第１の電極部３０を取り付ける。このため、第１のサポーター１０および第２のサポーター１０にそれぞれ反対の第１の電極部３０が取り付けられるおそれが低減される。
【０１１８】
（２０）電気刺激装置１は、第１の電極部３０のシート３３の表面を保護する第１の保護シート３６を備える。このため、不使用時に保護シート３６が導子配置部３４Ａ，３４Ｂの表面に取り付けられることにより、導電ゲル３５等に埃等が付着しにくくなる。
【０１１９】
また、保護シート３６が第１の電極部３０よりも高い剛性を有するため、保護シート３６をシート３３に取り付けた状態においてサポーター１０を大腿２００に装着した場合にユーザーが違和感を覚えやすい。このため、保護シート３６をシート３３に取り付けたまま、電気刺激装置１が使用されるおそれが低減される。さらに、保護シート３６が取り付けられている状態において、第１の電極部３０が外力により折れ曲がるおそれも低減される。
【０１２０】
（２１）電気刺激装置を使用して運動する場合、ユーザーが実施する運動の内容によっては第１のサポーター１０と第２のサポーター１０との距離が離れ、第１のハーネス６１が強く引っ張られることがある。このため、第１のハーネス６１の劣化が促進する。また、ユーザーの体格および身長等によっても同様の課題が生じることが考えられる。
【０１２１】
一方、電気刺激装置１によれば、第１のハーネス６１のうちの第１の線６２および第２の線６３が伸縮可能な伸縮部６２Ａ，６３Ａを含むため、第１のサポーター１０と第２のサポーター１０との距離が離れた場合であっても第１のハーネス６１が引っ張られにくい。このため、第１のハーネス６１の劣化が促進しにくい。
【０１２２】
（２２）ユーザーがサポーター１０を大腿２００に装着するとき、第１のハーネス６１が邪魔に感じることがある。一方、電気刺激装置１によれば、第１のハーネス６１の共通線６４に第１のクリップ７１および第２のクリップ７２が取り付けられているため、サポーター１０を大腿２００に装着する前に各クリップ７１，７２を上着２２０等に取り付けることにより第１のハーネス６１を固定できる。このため、サポーター１０を大腿２００に装着するときに第１のハーネス６１が邪魔に感じにくい。
【０１２３】
（２３）電気刺激装置を使用するユーザーは、例えばサポーター１０を大腿２００に装着した後にズボン２１０等を着用する。この場合、例えばズボン２１０の外側から保持ケース８０のループ８２に挿入されたベルト９０が締められる。しかし、ユーザーによってはベルト９０を外部に露出させることに不快感を覚えることがある。一方、電気刺激装置１によれば、保持ケース８０の第２の装着状態により保持ケース８０が装着されることにより、ベルト９０を外部に露出させずにベルト９０を締めることができる。
【０１２４】
（変形例）
実施の形態に関する説明は本発明に従う電気刺激装置が取り得る形態の例示であり、その形態を制限することを意図していない。本発明に従う電気刺激装置は実施の形態以外に例えば以下に示される実施の形態の変形例、および、相互に矛盾しない少なくとも２つの変形例が組み合わせられた形態を取り得る。
【０１２５】
・変形例の電気刺激装置１はベルト９０が省略された構成を取り得る。この変形例によれば、一般的に広く使用されているベルトが保持ケース８０のループ８２に挿入される。
・変形例の電気刺激装置１によれば、保持ケース８０から結合部８４が省略される。
【０１２６】
・変形例の電気刺激装置１によれば、保持ケース８０から接続部８３が省略される。この変形例によれば、ケース本体８１の背面側の上部とループ８２の上部とが互いに接続される。
【０１２７】
・変形例の第１のハーネス６１によれば、第１のクリップ７１が第１の線６２における第２の線６３および共通線６４寄りの部分に取り付けられる。別の変形例の第１のハーネス６１によれば、第１のクリップ７１が第２の線６３における第１の線６２および共通線６４寄りの部分に取り付けられる。
【０１２８】
・変形例のハーネス６０によれば、第１のハーネス６１から第１のクリップ７１および第２のクリップ７２の少なくとも一方が省略される。
・変形例のハーネス６０によれば、第１のハーネス６１から第１の線６２の伸縮部６２Ａ、第２の線６３の伸縮部６３Ａ、および、共通線６４の伸縮部６４Ａのうちの少なくとも１つが省略される。
【０１２９】
・変形例のハーネス６０は、第１のハーネス６１および第２のハーネス６５に代えて、電源の電力を第２の電極部４０に供給する別の第１のハーネス、および、第２の電極部４０から第１の電極部３０に電力を供給する別の第２のハーネスを含む。
【０１３０】
・変形例のハーネス６０は、第２のハーネス６５に代えて、電源の電力を第２の電極部４０に供給する別の第２のハーネスを含む。
・変形例の電気刺激装置１は、第１の保護シート３６が第１の電極部３０と実質的に同じ剛性を有する。別の変形例の電気刺激装置１は、第１の保護シート３６が第１の電極部３０よりも低い剛性を有する。
【０１３１】
・変形例の電気刺激装置１は、第１の保護シート３６が導子配置部３４Ａ，３４Ｂと実質的に同じ形状を有する。この変形例によれば、電気刺激装置１は例えば一対の第１の保護シート３６を備える。
【０１３２】
・変形例の電気刺激装置１は、第２の保護シート４６が第２の電極部４０と実質的に同じ剛性を有する。別の変形例の電気刺激装置１は、第２の保護シート４６が第２の電極部４０よりも低い剛性を有する。
【０１３３】
・変形例の電気刺激装置１は、第２の保護シート４６が導子配置部４４Ａ，４４Ｂと実質的に同じ形状を有する。この変形例によれば、電気刺激装置１は例えば一対の第２の保護シート４６を備える。
【０１３４】
・変形例の電気刺激装置１は、第１の保護シート３６および第２の保護シート４６の少なくとも一方が省略された構成を取り得る。
・変形例の電気刺激装置１によれば、サポーター１０から第１の対応目印２０が省略される。
【０１３５】
・変形例の電気刺激装置１によれば、第１の電極部３０から第２の対応目印３８が省略される。
・サポーター１０の第２の部分１２がくびれているか否かは任意の選択事項である。一例によれば、サポーター１０の短手方向における第２の部分１２の幅は、サポーター１０の短手方向における第１の部分１１の幅、または、サポーター１０の短手方向における第３の部分１３の幅と実質的に同じ幅である。
【０１３６】
・変形例の電気刺激装置１によれば、サポーター１０から中心目印１８のうちの中心線１８Ａおよび膝用目印１８Ｂの少なくとも一方が省略される。
・各導子対４１，４２を構成する一対の導子４１Ａ，４２Ａの配列方向がサポーター１０の短手方向に沿うように第２の部分１２に取り付けられるか否かは任意の選択事項である。一例によれば、各導子対４１，４２を構成する一対の導子４１Ａ，４２Ａの配列方向がサポーター１０の長手方向に沿うように第２の部分１２に取り付けられる。
【０１３７】
・各導子対３１，３２を構成する一対の導子３１Ａ，３２Ａの配列方向がサポーター１０の長手方向に沿うように第１の部分１１に取り付けられるか否かは任意の選択事項である。一例によれば、各導子対３１，３２を構成する一対の導子３１Ａ，３２Ａの配列方向がサポーター１０の短手方向に沿うように第１の部分１１に取り付けられる。
【０１３８】
・変形例の収容部１９は、図１９に示されるとおり第１のハーネス６１の一部および第２のハーネス６５を収容するフラップ１９Ａを備える。この変形例によれば、第２のハーネス６５に加えて第１のハーネス６１の一部も収容部１９に収容されるため、第１のハーネス６１の一部および第２のハーネス６５が大腿２００と直接接触しにくい。このため、ユーザーが不快感を覚えるおそれが一層低減される。また、第１のハーネス６１の一部を収容するフラップ、および、第２のハーネス６５を収容するフラップの２つフラップを備える場合と比較して、部品点数の削減に貢献できる。
【０１３９】
・変形例の収容部１９は、第２のハーネス６５を収容するフラップ１９Ａに代えてまたは加えて、第１のハーネス６１の一部を収容する別のフラップを備える。
・変形例の電気刺激装置１によれば、収容部１９から結合部１９Ｂが省略される。
【０１４０】
・変形例の電気刺激装置１によれば、サポーター１０から収容部１９が省略される。
・変形例の電気刺激装置１によれば、サポーター１０から第１の目印１６および第２の目印１７の少なくとも一方が省略される。
【０１４１】
・変形例のサポーター１０は、サポーター１０の長手方向におけるサポーター１０に対する第２の電極部４０の位置を調節するための第２の調節部１５に代えてまたは加えて、サポーター１０の長手方向におけるサポーター１０に対する第１の電極部３０の位置を調節するための別の調節部を備える。
【０１４２】
・変形例のサポーター１０は、サポーター１０の短手方向におけるサポーター１０に対する第１の電極部３０および第２の電極部４０の少なくとも一方の位置を調節するための調節部を備える。
【０１４３】
・変形例の電気刺激装置１によれば、サポーター１０から第１の調節部１４および第２の調節部１５の少なくとも一方が省略される。サポーター１０から第１の調節部１４が省略される場合、サポーター１０は例えば筒状の形態を有する。
【０１４４】
・変形例の電気刺激装置１によれば、第１の電極部３０および第２の電極部４０の少なくとも一方がサポーター１０の内面に分離できないように固定される。
・変形例の第１の電極部３０はシート３３に代えて、柔軟性を有しない別のシートを備える。
【０１４５】
・変形例の第２の電極部４０はシート４３に代えて、柔軟性を有しない別のシートを備える。
・一対の導子３１Ａ，３２Ａの配列方向における接続部３４Ｃの寸法が第１の導子配置部３４Ａおよび第２の導子配置部３４Ｂの寸法よりも短いか否かは任意の選択事項である。一例によれば、接続部３４Ｃの寸法は第１の導子配置部３４Ａおよび第２の導子配置部３４Ｂの寸法と実質的に同じ寸法である。
【０１４６】
・導電ゲル３５の面積が各導子配置部３４Ａ，３４Ｂの面積と実質的に同じ面積を有するか否かは任意の選択事項である。一例によれば、導電ゲル３５の面積は各導子配置部３４Ａ，３４Ｂの面積よりも広い面積を有する。
【０１４７】
・導電ゲル４５の面積が各導子配置部４４Ａ，４４Ｂの面積と実質的に同じ面積を有するか否かは任意の選択事項である。一例によれば、導電ゲル４５の面積は各導子配置部４４Ａ，４４Ｂの面積よりも広い面積を有する。
【０１４８】
・変形例のケース５０によれば、その長手方向が大腿２００の周方向に沿うように配置される。
・変形例の電気刺激装置１は、ケース５０に代えて、角速度センサー５１を収容するケースおよびコネクタ５２を収容するケースを備える。
【０１４９】
・変形例の電気刺激装置１によれば、サポーター１０から第２の電極部４０が省略される。
・変形例の電気刺激装置１によれば、角速度センサー５１および第１の電極部３０が分離できないように一体的に構成される。
【０１５０】
・変形例の電気刺激装置１はサポーター１０が省略された構成を取り得る。この変形例によれば、例えば角速度センサー３０一体的に構成された第１の電極部３０が大腿２００に直接取り付けられる。
【０１５１】
・変形例の電源は、一次電池または二次電池に代えて、商用電源から得られる電力を制御部等に供給する。
・変形例の報知部１０２は音声により情報を出力する。
【０１５２】
・変形例の電気刺激装置１は、操作部１０１および報知部１０２に代えて、操作部１０１の機能および報知部１０２の機能を有するタッチパネルディスプレイを備える。
・変形例の電気刺激装置１によれば、コントローラー１００から報知部１０２が省略される。
【０１５３】
・変形例の電気刺激装置１は、角速度センサー５１に代えて別の検出部である加速度センサーを備える。
・変形例の電気刺激装置１は、一方のサポーター１０に取り付けられる角速度センサー５１が省略された構成を取り得る。この変形例によれば、１つの角速度センサー５１の信号に基づいて各電極部３０，４０から出力される電気刺激が制御される。
【０１５４】
・各サポーター１０が対象部位である大腿２００に装着されるか否かは任意の選択事項である。一例によれば、各サポーター１０が別の対象部位である上腕に装着される。なお、各サポーター１０が大腿２００以外の対象部位に装着される場合、サポーター１０は対象部位の形状に応じた形状を有する。
【産業上の利用可能性】
【０１５５】
本電気刺激装置は、家庭用および業務用をはじめとする各種の電気刺激装置に利用できる。
【符号の説明】
【０１５６】
１    ：電気刺激装置
１０  ：サポーター
１６  ：第１の目印
１７  ：第２の目印
１８  ：中心目印
１９  ：収容部
２０  ：第１の対応目印（対応目印）
３０  ：第１の電極部
３１  ：第１の導子対
３１Ａ：導子
３２  ：第２の導子対
３２Ａ：導子
３３  ：シート
３４  ：第１の面
３４Ａ：第１の導子配置部
３４Ｂ：第２の導子配置部
３４Ｃ：接続部
３５  ：導電ゲル
３６  ：第１の保護シート（保護シート）
３７  ：第２の面
３８  ：第２の対応目印（対応目印）
４０  ：第２の電極部
４１  ：第１の導子対
４１Ａ：導子
４２  ：第２の導子対
４２Ａ：導子
４３  ：シート
４４  ：第１の面
４４Ａ：第１の導子配置部
４４Ｂ：第２の導子配置部
４４Ｃ：接続部
４５  ：導電ゲル
４６  ：第２の保護シート（保護シート）
５０  ：ケース
５１  ：角速度センサー（検出部）
５２  ：コネクタ
６０  ：ハーネス
６１  ：第１のハーネス
６２  ：第１の線
６３  ：第２の線
６４  ：共通線
６５  ：第２のハーネス
７１  ：第１のクリップ（クリップ）
７２  ：第２のクリップ（クリップ）
８０  ：保持ケース
８１  ：ケース本体
８２  ：ループ
８３  ：接続部
９０  ：ベルト
１００：コントローラー
２００：大腿（対象部位）
【図１】
0006489367.tif 000002
【図２】
0006489367.tif 000003
【図３】
0006489367.tif 000004
【図４】
0006489367.tif 000005
【図５】
0006489367.tif 000006
【図６】
0006489367.tif 000007
【図７】
0006489367.tif 000008
【図８】
0006489367.tif 000009
【図９】
0006489367.tif 000010
【図１０】
0006489367.tif 000011
【図１１】
0006489367.tif 000012
【図１２】
0006489367.tif 000013
【図１３】
0006489367.tif 000014
【図１４】
0006489367.tif 000015
【図１５】
0006489367.tif 000016
【図１６】
0006489367.tif 000017
【図１７】
0006489367.tif 000018
【図１８】
0006489367.tif 000019
【図１９】
0006489367.tif 000020